(57)【要約】【課題】照明器具において、蛍光ランプを確実に保持し、蛍光ランプとランプソケットとを容易に着脱可能にする。【解決手段】照明器具１は、蛍光管１１と、蛍光管１１の主発光面に固着された口金本体１３上にランプピン１２が立設された口金部１４とを備えた蛍光ランプ１０と、ランプピン１２が挿入されるソケット電極部２１と、口金本体１３を保持する保持部２２とを備えたランプソケット２０とを備え、蛍光ランプ１０をランプソケット２０に着脱可能としている。口金本体１３は、ランプピン１２と略平行に延び、略円柱状の頭部１５ａを有する係止用突出部１５を備える。保持部２２は、頭部１５を弾性的に保持する一対の弾性部材からなり、外側に湾曲した一対の円弧２２ａと、円弧２２ａと連接し口金本体１３を受ける側の一端に外側に延びる案内部２２ｂとを備える。【選択図】図４
2008117682.tif 000002
【特許請求の範囲】
【請求項１】
蛍光管と、該蛍光管の主発光面に固着された口金本体上に、前記主発光面に対して直交方向に延びるランプピンが立設されてなる口金部とを備えてなる蛍光ランプと、
前記ランプピンが挿入されるソケット電極部と、前記口金本体を保持する保持部とを備えてなるランプソケットとを備え、前記蛍光ランプが前記ランプソケットに着脱可能にされた照明器具において、
前記口金本体が、前記ランプピンと略平行に延びる係止用突出部を備え、
該係止用突出部が、略円柱状の頭部を有してなり、
前記保持部が、前記頭部を弾性的に保持する一対の弾性部材からなることを特徴とする照明器具。
【請求項２】
蛍光管と、該蛍光管の主発光面に固着された口金本体上に、前記主発光面に対して直交方向に延びるランプピンが立設されてなる口金部とを備えてなる蛍光ランプにおいて、
前記口金本体が、前記ランプピンと略平行に延びる係止用突出部を備え、
該係止用突出部が、略円柱状の頭部を有してなることを特徴とする蛍光ランプ。
【請求項３】
前記略円柱状の頭部が、該頭部の円周面上に外方に向かって突出する突起部を備えていることを特徴とする請求項２に記載の蛍光ランプ。
【請求項４】
蛍光ランプの口金本体上に立設されたランプピンが挿入されるソケット電極部と、蛍光ランプの口金本体を保持する保持部とを備えてなるランプソケットにおいて、
前記保持部が、外側に湾曲した対向する一対の円弧と、該円弧と連接し前記口金本体を受ける側の一端に外側に延びる案内部とからなることを特徴とするランプソケット。
【請求項５】
前記ソケット電極部が、前記ランプピンが挿入されるときに前記口金本体を案内するガイド部を備えていることを特徴とする請求項４に記載のランプソケット。
【請求項６】
照明器具本体及び器具本体カバーからなる開閉可能な一対のケースの、前記照明器具本体の内面に固着されるランプソケットであって、
前記器具本体カバーが、前記ランプソケットに対応する位置に開口を有し、
前記一対のケースが閉状態のときに、前記案内部の先端が前記開口よりも内方側に位置することを特徴とする請求項４または５に記載のランプソケット。
【発明の詳細な説明】
【技術分野】
【０００１】
本発明は照明器具に関し、特に蛍光ランプとランプソケットとの接続構造に関するものである。
【背景技術】
【０００２】
従来、複数の蛍光ランプを直線的に連続配置する際に、蛍光ランプの口金部等の非発光部を極力減らすべく、図９（ａ）の照明器具１’の斜視図に示す如く、蛍光管１１’の軸方向両端部ではなく周面すなわち主発光面に口金本体１３’を固着し、該口金本体１３’上に前記主発光面に対して略直交方向に延びる２本のランプピン１２’が立設された蛍光ランプ１０’が提案されている（特許文献１）。また該蛍光ランプ１０’に対応する、ランプピン１２’が挿入するスロット２１ａ’を備えるソケット電極部２１’と、口金本体１３’を保持する保持部２２’とを備えたランプソケット２０’も併せて提案されている（特許文献２）。
【０００３】
上記のランプソケット２０’は、底板３０ａ’が天井等の任意の取り付け箇所に固定される略凵字状の断面形状を有する照明器具本体３０’に、図示しない固定部材を介して装着され、該照明器具本体３０’に装着されたランプソケット２０’に蛍光ランプ１０’を着脱可能に装着することによって照明器具１’として使用される。
【特許文献１】特開２００４−３６３０２９号公報
【特許文献２】特開２００４−３２７３７６号公報
【発明の開示】
【発明が解決しようとする課題】
【０００４】
上記のランプソケット２０’の保持部２２’は、図９（ａ）、（ｂ）に示す如く、蛍光ランプ１０’の口金本体１３’の両側に形成された凸部１３ａ’を弾性的に保持する一対の弾性部材で形成されている。なお図９（ｂ）は（ａ）の正面図である。しかしながらこの保持部２２’は、口金本体１３’を確実に保持するために内側への弾性力が強めに設定されているので、口金本体１３’と保持部２２’すなわち蛍光ランプ１０’とランプソケット２０’との取り付け又は取り外しを容易に行なうことが困難であった。
【０００５】
また、ランプソケット２０’が装着された照明器具本体３０’に器具本体カバー３１’を嵌合するときには、図９（ｂ）に示す如く、器具本体カバー３１’に形成された開口３１ａ’から保持部２２’の先端が突出してしまうため、梱包及び／又は輸送するとき等に、衝撃等により保持部２２’が変形等しないように取り扱いに厳重な注意や保護が必要であった。
【０００６】
また、保持部２２’の先端は、口金本体１３を案内するために外側に延びて形成されており、口金本体１３’を挟持するときには、図９（ｂ）に示す如く、外側に開いてから凸部１３ａ’を弾性的に保持する。そのため、蛍光管１１’から照射される光の一部が保持部２２’の先端にあたって遮断されてしまうと、その光は反射板となる器具本体カバー３１’に届かないので照明器具１’の照度が低下してしまう虞がある。
【０００７】
本発明はかかる事情に鑑みてなされたものであり、蛍光ランプが確実に保持され、蛍光ランプとランプソケットとが容易に着脱可能な照明器具を提供することを目的とするものである。またさらに、取り扱いが容易で、照度の低減を防ぐことがきる照明器具を提供することを目的とするものである。
【課題を解決するための手段】
【０００８】
本発明の照明器具は、蛍光管と、該蛍光管の主発光面に固着された口金本体上に、前記主発光面に対して直交方向に延びるランプピンが立設されてなる口金部とを備えてなる蛍光ランプと、
前記ランプピンが挿入されるソケット電極部と、前記口金本体を保持する保持部とを備えてなるランプソケットとを備え、前記蛍光ランプが前記ランプソケットに着脱可能にされた照明器具において、
前記口金本体が、前記ランプピンと略平行に延びる係止用突出部を備え、
該係止用突出部が、略円柱状の頭部を有してなり、
前記保持部が、前記頭部を弾性的に保持する一対の弾性部材からなることを特徴とするものである。
【０００９】
本発明の蛍光ランプは、蛍光管と、該蛍光管の主発光面に固着された口金本体上に、前記主発光面に対して直交方向に延びるランプピンが立設されてなる口金部とを備えてなる蛍光ランプにおいて、
前記口金本体が、前記ランプピンと略平行に延びる係止用突出部を備え、
該係止用突出部が、略円柱状の頭部を有してなることを特徴とするものである。
【００１０】
なお本発明の「係止用突出部」は、例えば内部に配線用の空間が形成されているものであってもよい。また「略円柱状の頭部」は、突出先端から基部に向かって幅が徐々に増大してから減少するものであればよい。
【００１１】
本発明の蛍光ランプは、前記略円柱状の頭部が、該頭部の円周面上に外方に向かって突出する突起部を備えていることが好ましい。
【００１２】
本発明のランプソケットは、蛍光ランプの口金本体上に立設されたランプピンが挿入されるソケット電極部と、蛍光ランプの口金本体を保持する保持部とを備えてなるランプソケットにおいて、
前記保持部が、外側に湾曲した対向する一対の円弧と、該円弧と連接し前記口金本体を受ける側の一端に外側に延びる案内部とからなることを特徴とするものである。
【００１３】
本発明のランプソケットは、前記ソケット電極部が、前記ランプピンが挿入されるときに前記口金本体を案内するガイド部を備えているものであってもよい。
【００１４】
本発明のランプソケットは、照明器具本体及び器具本体カバーからなる開閉可能な一対のケースの、前記照明器具本体の内面に固着されるランプソケットであって、
前記器具本体カバーが、前記ランプソケットに対応する位置に開口を有し、
前記一対のケースが閉状態のときに、前記案内部の先端が前記開口よりも内方側に位置するものであることが好ましい。
【発明の効果】
【００１５】
本発明の照明器具によれば、蛍光ランプの口金本体が、ランプピンと略平行に延びる係止用突出部を備え、係止用突出部が、略円柱状の頭部を有してなり、ランプソケットの保持部が、前記頭部を弾性的に保持する一対の弾性部材からなるものなので、蛍光ランプをランプソケットに着脱するときに、保持部の内側は略円柱状の頭部の外周面の傾斜に沿って移動するので、蛍光ランプとランプソケットとを容易に着脱することができる。
【００１６】
また頭部の首部側が保持部に保持されると、頭部は保持部によりランプソケット側へ押さえつけられる。これにより頭部を保持する力はさらに強くなるので、保持部により頭部は確実に保持される。さらに保持部の前記押さえつける力により、ランプピンにも前記力が作用するので、ランプピンのソケット電極部への不完全装着状態いわゆるランプピンの半差しを防止することができる。
【００１７】
また本発明のランプソケットは、ソケット電極部が、ランプピンが挿入されるときに口金本体を案内するガイド部を備えている場合には、口金本体の移動を規制することができるので、口金部が斜めに取り付けられるのを防止することができる。
【００１８】
また本発明のランプソケットが、照明器具本体及び器具本体カバーからなる開閉可能な一対のケースの、照明器具本体の内面に固着されるランプソケットであって、器具本体カバーが、ランプソケットに対応する位置に開口を有し、一対のケースが閉状態のときに、案内部の先端が前記開口よりも内方側に位置する場合には、保持部が前記開口から突出することがないので、梱包及び／又は輸送するとき等に、衝撃等による保持部の変形を防ぐための取り扱いの厳重な注意や保護を必要とせず、取り扱いを容易にできる。
【００１９】
また前記開口から保持部が突出しないことにより、蛍光ランプが装着されていないときの照明器具は外形状が平坦となるので照明器具の梱包を容易に行なうことができ、蛍光ランプが装着されているときの照明器具は、蛍光管から照射される光が保持部に遮られることなく反射板となる照明器具カバーに照射されるので、照明器具の照度が低減するのを防止することができる。
【発明を実施するための最良の形態】
【００２０】
以下、本発明にかかる一実施の形態の照明器具１について、図面を参照して詳細に説明する。図１は（ａ）が本実施形態の蛍光ランプ１０の一部拡大斜視図、(ｂ)が（ａ）のｂ−ｂ線断面図、図２はランプソケット２０のソケット電極部２１及び保持部２２の斜視図である。なお本実施形態では便宜上、図１において蛍光管１１が位置する側（図１中上側）を上方、図２において蛍光管１１のランプピン１２が挿入される側（図２中上側）を上方、紙面手前を前方として説明する。
【００２１】
本実施形態の照明器具１は、蛍光ランプ１０とランプソケット２０とを備え、蛍光ランプ１０がランプソケット２０に着脱可能に構成されている。
【００２２】
蛍光ランプ１０は、図１（ａ）に示す如く、棒状の蛍光管１１の軸方向両端部ではなく周面すなわち主発光面にＪＩＳの定めるＧ５口金に対応した口金部１４が取り付けられている。口金部１４は、前記主発光面に固着された口金本体１３と、口金本体１３上に主発光面に対して直交方向（下方）に延びるように立設された２本のランプピン１２とを備えている。口金本体１３は、長手方向の中央よりも蛍光管１１端部側の所定位置に、ランプピン１２と略平行に延びる係止用突出部１５を備え、係止用突出部１５は、図１（ｂ）に示す如く、下端に略円柱状の頭部１５ａと、該頭部１５ａの上方に連接する首部１５ｂとを有している。頭部１５ａは、蛍光管１１の軸方向端部側からみたときに略円状の面が正面になるように配設される。なお係止用突出部１５を備える口金本体１３は内部に図示しない配線用の空間が形成されている。このように構成された口金部１４が、蛍光管１１の長手方向両側の前記主発光面に固着されて、蛍光ランプ１０は構成されている。
【００２３】
上記のように構成された蛍光ランプ１０に対応するランプソケット２０は、図２に示す如く、上述したランプピン１２が挿入されるソケット電極部２１と、上述した口金本体１３を保持する保持部２２とを備えている。
【００２４】
ソケット電極部２１は、上面に２本のランプピン１２がそれぞれ挿入されるスロット２１ａを有するソケット本体２１ｂを備えている。ソケット本体２１ｂの前面には外方（前方）に向かって突出する円筒体２１ｃが設けられ、該円筒体２１ｃからソケット本体２１ｂ内部に設けられた図示しない配線を取り出す。またソケット本体２１ｂの下面には図示しない固定用のネジ穴が形成されている。
【００２５】
保持部２２は、略長方形で薄平板状の板部２３の上面後端側から上方に向かって突設されて、外側に湾曲した対向する一対の円弧２２ａと、該円弧２２ａと連接し上方に向かって外側に延びる案内部２２ｂとから形成された一対の弾性部材で概略構成され、円弧２２ａと案内部２２ｂとの境界の内側に突出する部分が係止凸部２２ｃとなる。板部２３には所定位置に複数、上述したソケット電極部２１を後述する固定部材２４に固定するためのネジが挿通される孔２３ａが形成されている。なお保持部２２は弾力性を有する部材であればワイヤー、バネ等の部材を使用することができる。
【００２６】
ここで図３(ａ)にソケット電極部２１と保持部２２とが取り付けられたランプソケット２０の側面図、（ｂ）に(ａ)の右側側面から見た図を示す。上述のソケット電極部２１及び板部２３は、固定板２５等を介して固定部材２４にネジ等によって固定される。固定部材２４は、ソケット電極２１及び板部２３が取り付けられる略長方形の平板２４ａと、平板２４ａの長手方向と略直交する方向の両端から下方に向かって略直角に折れ曲がり、さらに外側に略直角に折れ曲がって延びる鍔板２４ｂと、平板２４ａの長手方向の一端に上方に向かって略直角に折れ曲がり、さらに外側に略直角に折れ曲がって延びる固定板部２４ｃとから概略構成されている。そして平板２４ａに形成された孔（図示せず）及び上述した板部２３の孔２３ａをネジが挿通し、さらにソケット本体２１ｂのネジ穴に螺合することによってソケット電極部２１及び板部２３が固定部材２４に固定される。
【００２７】
このとき上述した保持部２２は、図３（ｂ）に示す如く、案内部２２ｂの上端が固定板部２４ｃの上面よりも下方に位置するように構成する。また上述した蛍光ランプ１０がランプソケット２０に装着される際、ランプピン１２がスロット２１ａに挿入されたときに保持部２２が係止用突出部１５を保持可能である位置に、保持部２２及び／又は係止用突出部１５を形成する。
【００２８】
次に上記のように構成されたランプソケット２０に蛍光ランプ１０を装着するときの動作について説明する。図４は蛍光ランプ１０の軸方向における断面図、図５は蛍光ランプ１０の主発光面側から見た側面図であり、（ａ）はランプソケット２０の保持部２２に蛍光ランプ１０の係止用突出部１５が保持される前の状態、（ｂ）は前記保持される途中の状態、（ｃ）は前記保持された状態をそれぞれ示すものである。
【００２９】
先ず、図４（ａ）、図５（ａ）に示す如く、蛍光ランプ１０の係止用突出部１５の頭部１５ａ先端が保持部２２の案内部２２ｂに載置される。そして頭部１５ａが案内部２２に向かって押し込まれると、一方では、図５（ｂ）に示す如く、ランプピン１２がスロット２１ａに挿入を開始し、他方では、図４（ｂ）に示す如く、案内部２２ｂを含む一対の弾性部材からなる保持部２２が、それぞれ外側（図４（ｂ）中矢印Ｘ）に開いて、頭部１５ａの水平最大幅位置より上方が係止凸部２２ｃに保持されたときに、該係止凸部２２ｃは内側（図４（ｃ）中矢印Ｙ）向きの弾性力を発生させながら頭部１５ａの前記水平最大幅位置から首部１５ｂに至る傾斜に沿って移動し、図４（ｃ）に示す如く、首部１５ｂを保持して、一対の円弧２２ａの内側に頭部１５ａが収容される。
【００３０】
このとき首部１５ｂ近傍の頭部１５ａには、係止凸部２２ｃ下端すなわち円弧２２ａの上端が接触し、斜め下方向（図４（ｃ）中矢印Ｚ）に保持部２２の弾性力が発生するので、頭部１５ａは保持部２２により下方へ押さえつけられる。これにより頭部１５ａを保持する力はさらに強くなるので、保持部２２により頭部１５ａは確実に保持される。
【００３１】
またこれと並行して、ランプピン１２は、図５（ｃ）に示す如く、スロット２１ａに完全に挿入して、スロット２１ａ内部の図示しないソケット接触子に固定される。このとき保持部２２の下方へ押さえつける力により、ランプピン１２にも下方への力が作用するので、ランプピン１２の前記ソケット接触子への不完全装着状態いわゆるランプピン１２の半差しを防止することができる。このようにして、蛍光ランプ１０はランプソケット２０に装着される。
【００３２】
またランプソケット２０から蛍光ランプ１０を取り外すために、口金本体１３を上方に引っ張ると、首部１５ｂ近傍の頭部１５ａが、係止凸部２２ｃ下端すなわち円弧２２ａの上端を押圧することにより、保持部２２はそれぞれ外側（図４（ｂ）中矢印Ｘ）に開き、係止凸部２２ｃは頭部１５ａの前記水平最大幅位置から下方の傾斜に沿って移動し、図４（ａ）に示す如く、頭部１５ａが円弧２２ａ内部から外部へ取り出される。このように係止用突出部１５が略円柱状の頭部１５ａを有するので、蛍光ランプ１０をランプソケットに着脱するときに、保持部２２は頭部１５ａの外周面の傾斜に沿って移動するので、蛍光ランプ１０とランプソケット２０とを容易に着脱することができる。
【００３３】
なお保持部２２は、図２に示す如く、幅狭な一対の弾性部材で形成されているので、従来の保持部２２’（図８参照）よりも小型化することができて、外観をシンプルにすることができる。また保持部２２を小型化することにより、保持部２２を形成する材料を削減することができるので、コストを低減することができる。また保持部２２は、板厚を厚くしたり、幅を広くしたり、材質を変更することが可能であり、こうすることにより頭部１５ａを保持する保持力をさらに強くすることができる。
【００３４】
そして上記の蛍光ランプ１０及びランプソケット２０が装着されてなる照明器具１は、照明器具本体３０及び器具本体カバー３１からなる開閉可能な一対のケース３を備えている。ここで、図６に蛍光ランプ１０が装着されていないランプソケット２０が内部に配設されたケース３の断面図を示す。ケース３は、図６に示す如く、底板３０ａと該底板３０ａの両側縁から略直角に立ち上がる一対の側板３０ｂ、３０ｃとを備えた略凵字状の断面形状を有するアルミニウム製引抜き材からなる器具本体３０と、該器具本体３０に取外し可能に嵌着されて該器具本体３０の上方を覆う器具本体カバー３１とを備えている。
【００３５】
器具本体カバー３１は、頂板３１ａと、該頂板３１ａの両側縁に沿って垂設された一対の側板３１ｂ、３１ｃとを備えたアルミニウム製引抜き材からなり、これら側板３１ｂ、３１ｃが器具本体の側板３０ｂ、３０ｃの自由端にそれぞれ内側から弾性的に嵌着されるように構成されている。また器具本体カバー３１の頂板３１ａの長手方向の両端部には、上述したランプソケット２０を外部に臨ませる幅広の開口３１ｄが、頂板３１ａの長手方向の端縁から切り込まれた態様で略長方形に形成されている。
【００３６】
なお本実施形態の器具本体３０及び器具本体カバー３１は、上記のように、それぞれアルミニウム製引抜き材からなるものとしたが、本発明はこれに限られるものではなく、例えば樹脂製、鉄製、鋼板製等であってもよく、適宜変更可能である。
【００３７】
ランプソケット２０は上述した照明器具本体３０の底板３０内側に取り付けられる。そして図６に示す如く、保持部２２の案内部２２ｂの上端が固定板部２４ｃの上面よりも下側に位置するように構成されているので、ランプソケット２０が取り付けられた照明器具本体３０に器具本体カバー３１を嵌着したときに、案内部２２ｂの上端が開口３１ｄよりも内側に位置する。これにより、保持部２２が開口３１ｄから突出することがないので、梱包及び／又は輸送するとき等に、衝撃等による保持部２’の変形を防止するための取り扱いの厳重な注意や保護を必要とせず、取り扱いを容易にできる。
【００３８】
また開口３１ｄから保持部２２が突出しないことにより、蛍光ランプ１０が装着されていないときの照明器具１は外形状が平坦となるので、照明器具１の梱包を容易に行なうことができ、蛍光ランプ１０が装着されているときの照明器具１は、蛍光管１１から照射される光が保持部２２に遮られることなく反射板となる照明器具カバー３１に照射されるので、照明器具１の照度が低減するのを防止することができる。
【００３９】
次に図７に本発明にかかる一実施形態のガイド部２１ｄを備えるランプソケット２０の断面図を示す。ランプソケット２０の保持部２２は、図３（ａ）に示す如く、ソケット電極部２１とは所定位置離れて配設されているので、ソケット電極部２１の側面及び／又は上面に、ランプピン１２が挿入されるときに口金本体１３を案内するガイド部２１ｄを備えることができる。
【００４０】
本実施形態のガイド部２１ｄは、図７に示す如く、ソケット電極部２１の長手方向両側に、上面から上方に向かって突出するように板状のガイド部２１ｄが立設されている。なおガイド部２１ｄの前記長手方向の長さは適宜設計変更可能である。このようにガイド部２１ｄを備えることにより、ガイド部２１ｄの内側の面により口金本体１３の両側面が長手方向と直交する方向への移動が規制されるので、口金部１４が斜めに取り付けられるのを防止することができる。
【００４１】
次に本発明にかかる別の実施形態の蛍光ランプ１０−２及びランプソケット２０−２を説明する。なお本実施形態の蛍光ランプ１０−２及びランプソケット２０−２は上述した実施形態と略同様な構成であるため、同様の箇所は同一の符号を使用して説明を省略し、異なる箇所についてのみ説明する。図８（ａ）に本実施形態の蛍光ランプ１０−２を蛍光管１１の軸方向から見た断面図、（ｂ）にランプソケットの保持部２２−２を円弧２２ａの軸方向からみた図を示す。
【００４２】
本実施形態の蛍光ランプ１０−２は、図８(ａ)に示す如く、係止用突出部１５−２の頭部１５ａの円周面に外方に向かって突出された突起部１５ｃを備えていることが、上述した実施形態の蛍光ランプ１０と異なっている。突起部１５ｃは、頭部１５ａの円周面の最も外方の所定位置に、蛍光管１１の軸方向と同方向に延びるように形成されている。
【００４３】
また本実施形態のランプソケットの保持部２２−２は、上述の突起部１５ｃを備えた頭部１５ａを保持すべく、図８に示す如く、円弧２２ａの最も外方の所定位置に、上記突起部１５ｃを係止するように外方に向かって凹設された凹部２２ｄを備えていることが、上述した実施形態のランプソケット２０と異なっている。
【００４４】
このように形成された蛍光ランプ１０−２及び保持部２２−２であれば、保持部２２−２が頭部１５ａを弾性的に保持するときに、凹部２２ｄが突起部１５ｃを係止するので、保持部２２−２が頭部１５ａを保持する力はより強くなり、ランプソケットが蛍光ランプ１０−２を確実に保持することができる。
【００４５】
なお上述した２つの実施形態の照明器具はそれぞれ上記のような構成としたが、本発明の照明器具はこれに限られるものではなく、例えば頭部１５ａ及び保持部２２を蛍光管１１の軸方向に対して９０度回転させて形成したものであってもよい。また上述した実施形態の頭部１５ａすなわち係止用突出部１５は、口金本体１３の長手方向の中央よりも蛍光管１１端部側の所定位置に形成されているが、本発明はこれに限られるものではなく、保持部２２、２２−２が係止用突出部１５を保持できる位置であれば、例えば係止用突出部１５が口金本体１３の端部に形成されていてもよいし、係止用突出部１５の少なくとも一部が口金本体１３の端部に形成されていてもよく、適宜設計変更可能である。
【００４６】
また上述した２つの実施形態の照明器具はそれぞれ上記のような構成としたが、本発明の照明器具はこれに限られるものではなく、本発明の主旨を逸脱しない範囲において、適宜設計変更可能である。
【図面の簡単な説明】
【００４７】
【図１】蛍光ランプの斜視図及び断面図
【図２】ランプソケットの主要部分解斜視図
【図３】(ａ)はランプソケット２０の側面図、（ｂ）は(ａ)の右側側面から見た図
【図４】蛍光ランプとランプソケットとの装着動作を説明する断面図
【図５】蛍光ランプとランプソケットとの装着動作を説明する側面図
【図６】照明器具の断面図
【図７】別の実施形態の照明器具の断面図
【図８】別の実施形態の蛍光ランプを蛍光管の軸方向から見た断面図及び別の実施形態のランプソケットの保持部を円弧の軸方向からみた図
【図９】従来の照明器具の主要部斜視図（ａ）、正面図（ｂ）
【符号の説明】
【００４８】
１      照明器具
１０    蛍光ランプ
１１    蛍光管
１２    ランプピン
１３    口金本体
１４    口金部
１５    係止用突出部
１５ａ  頭部
１５ｂ  首部
１５ｃ  突起部
２０    ランプソケット
２１    ソケット電極部
２２    保持部
２２ａ  円弧
２２ｂ  案内部
３      ケース
３０    照明器具本体
３１    器具本体カバー
【図１】
2008117682.tif 000003
【図２】
2008117682.tif 000004
【図３】
2008117682.tif 000005
【図４】
2008117682.tif 000006
【図５】
2008117682.tif 000007
【図６】
2008117682.tif 000008
【図７】
2008117682.tif 000009
【図８】
2008117682.tif 000010
【図９】
2008117682.tif 000011